(57)【要約】      （修正有）【課題】特定の人のみ使用でき、安全なエレベータを提供する。【解決手段】エレベータに指紋照合器を取り付ける。通常は指紋照合器により行先階サービス切離し状態となっている。指紋照合器で指紋認証されると、一時的に行先階ボタン登録可能状態となり、所定時間以内に行先階ボタンを押すと、戸閉動作となり運転方向が決定される。各種安全装置が正常で、且つかごのドア、及び各階乗場のドアが戸締り状態とし、戸締り検査回路がオン、安全回路がオンとなりエレベータは目的階に走行する。【選択図】図２
2008001512.tif 000002
【特許請求の範囲】
【請求項１】
指紋認証、顔認証、瞳認証、手のひら認証、暗証番号キーボード、など個人認証装置をエレベータに設け、且つ前記個人認証回路が行先階ボタン登録回路に組み込まれ、行先階ボタン登録回路はエレベータドア安全回路と別回路になっていることを特徴とする安全エレベータ。
【発明の詳細な説明】
【技術分野】
【０００１】
本発明は、エレベータに関するものである。
【背景技術】
【０００２】
従来のエレベータはボタンにより誰でもコントロールでき、戸が開いたまま暴走したりした。また、外部から殺人者が侵入するなど危険であり、また操作は未熟なものが操作して途中停車したり暴走したり危険であった。
【発明の開示】
【発明が解決しようとする課題】
【０００３】
特定の人のみ使用でき、安全なエレベータを発明する。
【課題を解決するための手段】
【０００４】
エレベータに指紋認証機を取り付け、これに関連するコントローラ回路を新たに開発した。
【発明の効果】
【０００５】
最近のエレベータの事故、殺人事件などを防止できる安全なエレベータを売ることが出来る。本発明は十年間の研究の結果実物を作り、実際のビルで稼動し、その効果が極めて絶大だった。本発明を日本中、世界中のビルに適用すれば社会の安全と人間の幸福を増進し、社会環境が良くなると同時にこのエレベータを造る新しい産業も起こる等々絶大なる効果を有するものである。また、とが開かないまま走行はあり得ない。
【発明を実施するための最良の形態】
【０００６】
通常は、指紋照合器により行先階サービス切放し状態となっている。指紋照合器で指紋認証されると、一時的に行先階ボタン登録可能状態となり、所定時間（指紋認証後約７秒）以内に行先階ボタンを押すと、戸閉動作となり運転方向が決定される。各種安全装置が正常で、且つカゴのドア、及び各階乗場のドアが戸締まり状態とし、戸締まり検査回路がON、安全回路がONとなりエレベータは目的階に走る。
逆に言うと、安全上の観点から、カゴ、乗場いずれかのドアが開いている場合には、戸締まり状態検出回路がOFFとなる為、巻上機への駆動もブレーキ解放も行わないように構成されている。
また、行先階ボタン登録回路は、上記ドア安全回路とは別回路となっており、指紋照合回路もこの行先階ボタン登録回路に組み込まれている。
よって、万一の指紋照合器の故障にも、行先階登録が出来ない、又はサービス切放し用リレー接点（SC接点）のON故障、又はOFF故障の場合にも、行先階登録が出来ない、又はサービス切放しが行われないといった不具合動作は起こり得るが、上述の戸締まり検出回路は有効であるので、戸開き状態での走行はありえない。
【実施例１】
【０００７】
図１は公知のエレベータであって、かご１の中に行き先ボタン２があり、この行き先ボタン２がエレベータ上下駆動装置３に指示しかご１は上下する。４はカウンターウェイトである。したがって、エレベータに入れば誰でも行く先ボタン２を押してエレベータを動かすことが出来、非常に危険であるし、このコントロールが外れるとエレベータが暴走して人身事故を起こすこともある。また、殺人者がエレベータに入り、目的の階に行き、また、エレベータを使って逃げることも出来る。
【０００８】
図２は本発明実施例の基本動作フローチャートであり、かご１に乗り込み、指紋照合をし、降りるまでのフローチャートであり、このフローチャートによってどのように本発明が構成されているか十分説明しているので、ご理解願いたい。
【０００９】
図３は本発明実施例の安全回路と行き先ボタンと登録回路に説明したものであり、これもこの図を見れば本発明の内容が明らかであるので、ご理解願いたい。
【００１０】
図４は全体の本発明実施例の電気設備系統図であるので、これをご理解願いたい。
通常は、指紋照合器により行先階サービス切放し状態となっている。指紋照合器で指紋認証されると、一時的に行先階ボタン登録可能状態となり、所定時間（指紋認証後約７秒）以内に行先階ボタンを押すと、戸閉動作となり運転方向が決定される。各種安全装置が正常で、且つカゴのドア、及び各階乗場のドアが戸締まり状態とし、戸締まり検査回路がON、安全回路がONとなりエレベータは目的階に走る。
逆に言うと、安全上の観点から、カゴ、乗場いずれかのドアが開いている場合には、戸締まり状態検出回路がOFFとなる為、巻上機への駆動もブレーキ解放も行わないように構成されている。
また、行先階ボタン登録回路は、上記ドア安全回路とは別回路となっており、指紋照合回路もこの行先階ボタン登録回路に組み込まれている。
よって、万一の指紋照合器の故障にも、行先階登録が出来ない、又はサービス切放し用リレー接点（SC接点）のON故障、又はOFF故障の場合にも、行先階登録が出来ない、又はサービス切放しが行われないといった不具合動作は起こり得るが、上述の戸締まり検出回路は有効であるので、戸開き状態での走行はありえない。
【００１１】
図５も本発明の実施例を示し、各階エレベータ入り口に指紋照合装置５F１、５F2、５F3、５FNを設けた例である。
図６も本発明実施例で、図５の如く各階の入り口に指紋照合装置を付けずに、かご１の中にのみ指紋照合器６を設けたものである。指紋照合器６は指紋照合部６１と暗証番号入力用キーボード６２からなる。図５の如く各階に指紋照合機を置くとN階ならN個必要となり、従来のエレベータより大幅にコストアップするので、本発明実施例図６の如くかご内に設ければ、指紋照合器が全体で１個だけで済み、各階の指紋照合器が不要となり、非常にコストダウンされ、且つ安全性が増大する。
【００１２】
図７は本発明図６の動作説明図で、犯人１６が指１５でエレベータ呼びボタン１４を押すとエレベータかご１が１F1の位置まで降りてくるが、犯人１６がかご１に入り指紋照合ボタン６を押しても指紋が合わないので、犯人がF3など目的階まで上昇することが出来ず、エレベータを動かすことが出来ないので犯人１６は侵入をあきらめる。
F２など他の階に侵入した犯人１３も同様である。指紋登録した本人１０は指９でエレベータ呼びボタン８を押し、エレベータかご１内に入り、指紋照合器６１に指９を入れ、照合する。この場合必要ならばキーボード６２で登録番号を押す。その後行く先階数のボタン１７を押す。この信号がコンピュータ７（図２フローチャート参照）に入り、７が駆動装置３に指令を与える。
それによってかご１は登録本人１０の希望する階、例えばF１に行くことが出来る。
カゴ内ボタン１７は階数ボタン１８、例えば（１，２，３）と扉開きボタン１９、警報ボタン２０等からなる。そして、
図８の如く所定のフロア、例えばF１に降りエレベータを出ることが出来る（詳しくは図２、図３、及び図４を参照）。
これを詳しく言うと通常は、指紋照合器により行先階サービス切放し状態となっている。指紋照合器で指紋認証されると、一時的に行先階ボタン登録可能状態となり、所定時間（指紋認証後約７秒）以内に行先階ボタンを押すと、戸閉動作となり運転方向が決定される。各種安全装置が正常で、且つカゴのドア、及び各階乗場のドアが戸締まり状態とし、戸締まり検査回路がON、安全回路がONとなりエレベータは目的階に走る。
逆に言うと、安全上の観点から、カゴ、乗場いずれかのドアが開いている場合には、戸締まり状態検出回路がOFFとなる為、巻上機への駆動もブレーキ解放も行わないように構成されている。
また、行先階ボタン登録回路は、上記ドア安全回路とは別回路となっており、指紋照合回路もこの行先階ボタン登録回路に組み込まれている。
よって、万一の指紋照合器の故障にも、行先階登録が出来ない、又はサービス切放し用リレー接点（SC接点）のON故障、又はOFF故障の場合にも、行先階登録が出来ない、又はサービス切放しが行われないといった不具合動作は起こり得るが、上述の戸締まり検出回路は有効であるので、戸開き状態での走行はありえない。
【産業上の利用可能性】
【００１３】
本発明は十年間の研究の結果実物を作り、実際のビルで稼動し、その効果が極めて絶大だった。本発明を日本中、世界中のビルに適用すればエレベータが安全化され、社会の安全と人間の幸福を増進し、社会環境が良くなると同時にこのエレベータを造る新しい産業も起こる等々絶大なる効果を有するものである。
【図面の簡単な説明】
【００１４】
【図１】公知のエレベータ
【図２】本発明基本動作フローチャート
【図３】本発明安全回路と行先ボタン登録回路
【図４】本発明の全体回路図
【図５】本発明エレベータの各階に指紋照合機を置いた実施例
【図６】本発明エレベータのかごに指紋照合機を設置した実施例
【図７】本発明エレベータの動作説明図（F3から乗込み下に降りる場合）
【図８】本発明エレベータの動作説明図（F1に降り、エレベータから外に出る）
【符号の説明】
【００１５】
１    かご
２    行き先ボタン
３    エレベータ上下駆動装置
４    カウンターウェイト    
５    指紋照合装置
６    指紋照合器
６１  指紋照合部
６２  暗証番号入力用キーボード
７    コンピュータ
８    エレベータ呼びボタン
９    指
１０  指紋登録した本人
１３    犯人
１４    エレベータ呼びボタン
１５    指
１６    犯人
１７    行き先階数のボタン
１８    階数ボタン
１９    扉開きボタン
２０    警報ボタン２０
【図１】
2008001512.tif 000003
【図２】
2008001512.tif 000004
【図３】
2008001512.tif 000005
【図４】
2008001512.tif 000006
【図５】
2008001512.tif 000007
【図６】
2008001512.tif 000008
【図７】
2008001512.tif 000009
【図８】
2008001512.tif 000010